(57)【要約】      （修正有）【課題】プラズマディスプレイ装置及びその駆動方法を提供する。【解決手段】プラズマディスプレイ装置はスキャン電極及びサステイン電極が形成されたプラズマディスプレイパネルと前記スキャン電極に絶対値が等しい電圧の大きさであるスキャン電圧及びサステイン電圧を供給するスキャン駆動部を含み、前記サステイン電極はグラウンドで維持されることを特徴とする。【選択図】図４
2005331958.tif 000002
【特許請求の範囲】
【請求項１】
スキャン電極及びサステイン電極が形成されたプラズマディスプレイパネルと、
前記スキャン電極に絶対値が等しい電圧の大きさであるスキャン電圧及びサステイン電圧を供給するスキャン駆動部とを含み、
前記サステイン電極はグラウンドで維持されることを特徴とするプラズマディスプレイ装置。 
【請求項２】
前記スキャン駆動部は、
前記スキャン電極を駆動させるための駆動ドライバーと、
前記駆動ドライバーを通じて選択されたスキャン電極に負のスキャン電圧を供給して前記駆動ドライバーを通じて全体スキャン電極に負のサステイン電圧を供給する第１電圧印加部と、 
前記負のスキャン電圧による電流をシンク(ｓｉｎｋ)させる第１グラウンド部と、
前記駆動ドライバーを通じて全体スキャン電極に正のサステイン電圧を供給する第２電圧印加部と、
を含むことを特徴とする請求項１記載のプラズマディスプレイ装置。 
【請求項３】
前記駆動ドライバー、前記第１電圧印加部、前記グラウンド部、前記第２電圧印加部は一つのボードに形成されることを特徴とする、請求項２記載のプラズマディスプレイ装置。  
【請求項４】
前記駆動ドライバーは第１スィッチと第２スィッチとを含み、
前記第１スィッチと第２スィッチとはスキャン過程で第１電圧印加部によって負のスキャン電圧が供給される時、両方共ターンーオンされ、
前記第１スィッチは、サステイン過程で第２電圧印加部によって正のサステイン電圧が印加される時ターンーオンされて、
前記第２スィッチは、サステイン過程で第１電圧印加部によって負のサステイン電圧が印加される時ターンーオンされることを特徴とする、請求項２記載のプラズマディスプレイ装置。
【請求項５】
前記スキャン駆動部は、
前記スキャン電極を駆動させるための駆動ドライバーと、
前記駆動ドライバーを通じて選択されたスキャン電極に負のスキャン電圧を供給する第３電圧印加部と、
前記駆動ドライバーを通じて全体スキャン電極に負のサステイン電圧を供給する第１電圧印加部と、 
前記負のスキャン電圧による電流をシンク(ｓｉｎｋ)させる第１グラウンド部とを、
前記駆動ドライバーを通じて全体スキャン電極に正のサステイン電圧を供給する第２電圧印加部を含むことを特徴とする、請求項１記載のプラズマディスプレイ装置。 
【請求項６】
前記第１電圧印加部は、
前記第３電圧印加部がスキャン過程で選択されたスキャン電極に前記負のスキャン電圧を供給する時、ターンオフされることを特徴とする、請求項５記載のプラズマディスプ特徴とするプラズマディスプレイ装置。
【請求項７】
前記スキャン駆動部は、
前記負のサステイン電圧に発生された負のサステインパルスでグラウンドレベルまたは
前記正のサステイン電圧に発生された正のサステインパルスに転移される時パルスが早くグラウンドレベルになるようにする第２グラウンド部をさらに含むことを特徴とする、請求項２または５記載のプラズマディスプレイ装置。
【請求項８】
複数のサブフィールドがリセット期間、アドレス期間、サステイン期間で分けて画像をプラズマディスプレイ装置の駆動方法において、 
前記アドレス期間に選択されたスキャン電極に負の第１電圧を供給する段階と、 
前記サステイン期間において、スキャン電極全部に、正の第１電圧を供給した後、前記負の第１電圧を供給する段階と、
を含むプラズマディスプレイ装置の駆動方法。 
【請求項９】
前記負の第１電圧と前記正の第１電圧の大きさは等しいことを特徴とする、請求項８記載のプラズマディスプレイ装置の駆動方法。 
【請求項１０】
複数のサブフィールドがリセット期間、アドレス期間、サステイン期間で分けて画像を具現するプラズマディスプレイ装置の駆動方法において、 
前記アドレス期間に選択されたスキャン電極に負の第１電圧を供給する段階と、 
前記サステイン期間において、スキャン電極全部に、正の第１電圧を供給した後、前記負の第２電圧を供給する段階と、
を含むプラズマディスプレイ装置の駆動方法。 
【請求項１１】
前記正の第１電圧と前記負の第２電圧の大きさは等しいことを特徴とする、請求項１０記載のプラズマディスプレイ装置の駆動方法。 
【発明の詳細な説明】
【技術分野】
【０００１】
本発明はプラズマディスプレイ装置及びその駆動方法に関する。
【背景技術】
【０００２】
一般的にプラズマディスプレイパネル(Ｐｌａｓｍａ  Ｄｉｓｐｌａｙ  ＰａＮｅｌ：以下"ＰＤＰ"だとする)はＨｅ+ＸｅまたはＮｅ+Ｘｅ不活性混合ガスの放電の時発生する１４７ｎｍの紫外線によって蛍光体を発光させることで文字またはグラフィックを含んだ画像を表示するようになる。 
【０００３】
図１は従来マトリックス形態に配列された放電セル構造を持つ３電極交流面放電型ＰＤＰの構造を示す斜視図である。
図１を参照すれば、３電極交流面放電型ＰＤＰは、上部基板１０上に形成されたスキャン電極１１ａ及びサステイン電極１２ａと、下部基板２０上に形成されたアドレス電極２２とを備える。スキャン電極１１ａとサステイン電極１２ａそれぞれは、透明電極、例えば、インジウムティンオキサイド(Ｉｎｄｉｕｍ−Ｔｉｎ−ＯＸｉｄｅ：ＩＴＯ)により形成される。スキャン電極１１ａとサステイン電極１２ａそれぞれには、抵抗を減らすための金属バス電極(１１ｂ、１２ｂ)が形成される。スキャン電極１１ａとサステイン電極１２ａが形成された上部基板１０には上部誘電体層１３ａと保護膜１４が積層される。上部誘電体層１３ａには、プラズマ放電の時発生された壁電荷が蓄積される。保護膜１４は、プラズマ放電の時発生されたスパッタリング（Ｓｐｕｔｔｅｒｉｎｇ）による上部誘電体層１３ａの損傷を防止することと同時に、２次電子の放出效率を高めるようになる。保護膜１４には通常酸化マグネシウム(ＭＧＯ)が利用される。
【０００４】
一方、アドレス電極２２が形成された下部基板２０上には、下部誘電体層１３ｂ、隔壁２１が形成されて、下部誘電体層１３ｂと隔壁２１の表面には蛍光体層２３が塗布される。アドレス電極２２は、スキャン電極１１ａ及びサステイン電極１２ａと交差される方向に形成される。隔壁２１は、アドレス電極２２と並んで形成され、放電によって生成された紫外線及び可視光が接した放電セルに漏洩することを防止する。蛍光体層２３は、プラズマ放電の時発生された紫外線によって励起されて、赤色(Ｒ)、緑(Ｇ)または青色(Ｂ)中何れか一つの可視光線を発生するようになる。上部基板１０と下部基板２０との間において隔壁２１によって区画された放電セルの放電空間には、放電のためのＨｅ+ＸｅまたはＮｅ+Ｘｅなどの不活性混合ガスが注入される。このような構造を持つ従来ＰＤＰの駆動方法をよく見れば図２のようである。
【０００５】
図２は、従来のＰＤＰの駆動方法を説明するための駆動波形である。図２をよく見れば、従来ＰＤＰは全画面を初期化させるためのリセット期間、セルを選択するためのアドレス期間、及び、選択されたセルの放電を維持させるためのサステイン期間で分けられて駆動される。
【０００６】
先ず、リセット期間は、セットアップ期間(ＳＵ)とセットダウン期間(ＳＤ)とに分けられて駆動され、セットアップ期間(ＳＵ)にはすべてのスキャン電極(Ｙ)に上昇ランプ波形(Ｒａｍｐ−ｕｐ)が同時に印加される。この上昇ランプ波形によって全画面のセル内には放電が起きる。このセットアップ放電によってアドレス電極(Ｘ)とサステイン電極(Ｚ)上には正極性壁電荷が積もるようになって、スキャン電極(Ｙ)上には負極性の壁電荷が積もるようになる。上昇ランプ波形が供給された後、セットダウン期間(ＳＤ)には、上昇ランプ波形のピーク電圧より低い正極性電圧から落ち始めて基底電圧(ＧＮＤ)または負極性の特定電圧レベルまで落ちる下降ランプ波形(Ｒａｍｐ−ｄｏｗｎ)がセル内に微弱な消去放電を起こすことで、過度に形成された壁電荷を一部消去させるようになる。このセットダウン放電によってアドレス放電が安定に起きることができるほどの壁電荷がセル内に均一に残留される。
【０００７】
アドレス期間は、負極性スキャンパルス(Ｓｃａｎ)がスキャン電極(Ｙ)に順に印加されることと同時に、スキャンパルスに同期されてアドレス電極(Ｘ)に正極性のデータパルス(ｄａｔａ)が印加される。このスキャンパルスとデータパルスとの電圧差と、リセット期間に生成された壁電圧とが加わりながら、データパルスが印加されるセル内にはアドレス放電が発生される。アドレス放電によって選択されたセル内にはサステイン電圧が印加される時に放電が起きることができるようにする程度の壁電荷が形成される。サステイン電極(Ｚ)には、セットダウン期間及びアドレス期間の間には、スキャン電極(Ｙ)との電圧差を減らしてスキャン電極(Ｙ)との誤放電が起きないようにするために、正極性直流電圧(Ｚｄｃ)が供給される。
【０００８】
サステイン期間は、スキャン電極(Ｙ)とサステイン電極(Ｚ)に交互にサステインパルス(ｓｕｓ)が印加される。アドレス放電によって選択されたセルは、セル内の壁電圧とサステインパルスとが加わりながら、毎サステインパルスが印加される毎にスキャン電極(Ｙ)とサステイン電極(Ｚ)の間にサステイン放電すなわち、表示放電が起きるようになる。また、サステイン放電が完了する後には、パルス幅と電圧レベルが小さなランプ波形(Ｒａｍｐ−ｅＲｓ)がサステイン電極(Ｚ)に供給されて全画面のセル内に残る壁電荷を消去させるようになる。
【０００９】
一方、アドレス期間とサステイン期間とにおけるプラズマ表示パネルの駆動装置の動作をさらに詳細に見れば図３のようである。
【００１０】
図３は、従来プラズマディスプレイパネルのアドレス期間とサステイン期間で動作されるスキャン電極(Ｙ)駆動部とサステイン電極(Ｙ)駆動部の回路図である。
【００１１】
先ず、アドレス期間のスキャン過程で初番目スキャン電極(Ｙ１)に相当するチャンネルが選択されれば、残りスキャン電極(Ｙ２、Ｙ３、……Ｙｎ)に相当するチャンネルは選択されない。
【００１２】
このようにチャンネルが選択されれば、選択されたチャンネルに相当する初番目スキャンドライバー１１０-１の第２スイチング素子１１３-１がターンーオンされて、スキャン用スイチング素子１２０がターンーオンされる。 
【００１３】
これと同時に、選択されないチャンネルに相当するスキャンドライバー(１１０-２乃至１１０−ｎ)の第１スイチング素子(１１１-２乃至１１１−ｎ)とグラウンド用スイチング素子１３０がターンーオンされる。 
【００１４】
このようにスイチング素子が動作して、アドレス電極(Ｘ１乃至Ｘｍ)にデータパルスが印加されると、アドレス電極(Ｘ)、選択されたチャンネルに相当するスキャン電極(Ｙ)、選択されたチャンネルのスキャンドライバーの第２スィッチ（第２スイチング素子１１３-１）及びスキャン電圧源(−Ｖｙｓｃａｎ)で経路が形成されて電流が流れる。このような経路が形成されれば、一番目ラインに位置するセルに書き取り動作が成り立つ。 
【００１５】
また、サステイン過程では、第１サステイン用スイチング素子１４０とすべてのスキャン電極(Ｙ)に繋がれたスキャンドライバー(１１０-１乃至１１０−ｎ)の第２スイチング素子(１１３-１乃至１１３-n)及びグラウンド用スイチング素子１６０がターンーオンされる。よって、サステイン電圧源(ＶｓＹ)、スキャン電極(Ｙ１乃至Ｙｎ)、サステイン電極(Ｚ１乃至Ｚn)及びグラウンド用スイチング素子１６０で経路が形成されて帯電流が流れる。 
【００１６】
また、第２サステイン用スイチング素子１６０、すべてのスキャンドライバー(１１０-１乃至１１０−ｎ)の第１スイチング素子(１１１-１乃至１１１−ｎ)及びグラウンド用スイチング素子１３０がターンーオンされる。よって、サステイン電圧源(ＶｓＺ)、 Ｚ電極(Ｚ１乃至Ｚn)、 Ｙ電極、スキャンドライバーの第１スイチング素子((１１１-１乃至１１１−ｎ))、グラウンド用スイチング素子１３０及びグラウンドの間に経路が形成されて帯電流が流れる。 
【００１７】
このようにサステイン過程で、スキャン電極(Ｙ)とサステイン電極(Ｚ)を通じて、画面の左側と右側にあるスキャン電極駆動部１００とサステイン電極駆動部２００の両方で帯電流が流れるため、ＥＭＩ(Ｅｌｅｃｔｒｏ  ＭａｇＮｅｔｉｃ  Ｉｎｔｅｒｆｅｒｅｎｃｅ)によるノイズが発生し易い。また、電極駆動部が両方（両側）にあるので回路構成が複雑である。 
【００１８】
また、スキャン電極駆動部１００とサステイン電極駆動部２００が一つのＰＣＢ(Ｐｒｉｎｔｅｄ  Ｃｉｒｃｕｉｔ  Ｂｏａｒｄ)にある場合には、右側のサステイン電極駆動部２００を左側のスキャン電極駆動部１００側に配置して、左側には相対的に多い量の回路が配置される。 
【００１９】
このようにスキャン電極駆動部１００とサステイン電極駆動部２００が一つのＰＣＢに配置される場合も、図３で説明したように、スキャン電極駆動部１００とサステイン電極駆動部２００の間に帯電流が流れるので、電極駆動部間に干渉やノイズが発生して各電極駆動部で生じた熱が他の電極駆動部にも影響を及ぼすなど多くの問題点が発生する。 
【００２０】
また、スキャン電極駆動部１００とサステイン電極駆動部２００が一つのＰＣＢに配置されれば、サステイン電極と右側の電極パッド(ｐａｄ)が導線で繋がれるとか、その他導電性物質で繋がれなければならないので導線やその他導電性物質によってインピーダンスが変化することがあり、電圧低下が発生して画面左側と右側の輝度が変わるなどの問題点が発生する。
【発明の開示】
【発明が解決しようとする課題】
【００２１】
本発明の目的はアドレス期間及びサステイン期間に駆動する駆動回路を改善して駆動の時発生されるノイズと電圧低下による画面左、右側での輝度差発生を防止することができるプラズマディスプレイ装置及びその駆動方法を提供するのである。
【課題を解決するための手段】
【００２２】
本発明によるプラズマディスプレイ装置はスキャン電極及びサステイン電極が形成されたプラズマディスプレイパネルと前記スキャン電極に絶対値が等しい電圧の大きさであるスキャン電圧及びサステイン電圧を供給するスキャン駆動部を含み、前記サステイン電極はグラウンドで維持されることを特徴とする。
【００２３】
本発明によるプラズマディスプレイ装置の第１駆動方法はアドレス期間に選択されたスキャン電極に負の第１電圧を供給する段階と、前記サステイン期間に全体スキャン電極に正の第１電圧を供給した後、前記負の第１電圧を供給する段階を含むことを特徴とする。
【００２４】
本発明によるプラズマディスプレイ装置の第２駆動方法はアドレス期間に選択されたスキャン電極に負の第１電圧を供給する段階と、サステイン期間に全体スキャン電極に正の第１電圧を供給した後、前記負の第２電圧を供給する段階を含むことを特徴とする。
【００２５】
前記スキャン駆動部は前記スキャン電極を駆動させるための駆動ドライバー;前記駆動ドライバーを通じて選択されたスキャン電極に負のスキャン電圧を供給して前記駆動ドライバーを通じて全体スキャン電極に負のサステイン電圧を供給する第１電圧印加部;前記負のスキャン電圧による電流をシンク(ｓｉｎｋ)させる第１グラウンド部;及び前記駆動ドライバーを通じて全体スキャン電極に正のサステイン電圧を供給する第２電圧印加部を含むことを特徴とする。
【００２６】
前記駆動ドライバー、前記第１電圧印加部、前記グラウンド部、前記第２電圧印加部は一つのボードに形成されることを特徴とする。
【００２７】
前記駆動ドライバーは第１スィッチと第２スィッチを含んで、前記第１スィッチと第２スィッチはスキャン過程で第１電圧印加部によって負のスキャン電圧が供給される時皆ターンーオンされて、前記第１スィッチはサステイン過程で第２電圧印加部によって正のサステイン電圧が印加される時ターンーオンされて、前記第２スィッチはサステイン過程で第１電圧印加部によって負のサステイン電圧が印加される時ターンーオンされることを特徴とする。
【００２８】
前記スキャン駆動部は前記スキャン電極を駆動させるための駆動ドライバー;前記駆動ドライバーを通じて選択されたスキャン電極に負のスキャン電圧を供給する第３電圧印加部;前記駆動ドライバーを通じて全体スキャン電極に負のサステイン電圧を供給する第１電圧印加部;前記負のスキャン電圧による電流をシンク(ｓｉｎｋ)させる第１グラウンド部;ミッサングギ駆動ドライバーを通じて全体スキャン電極に正のサステイン電圧を供給する第２電圧印加部を含むことを特徴とする。
【００２９】
前記第１電圧印加部は   前記第３電圧印加部がスキャン過程で選択されたスキャン電極に前記負のスキャン電圧を供給する時、トンーオプされることを特徴とする。
【００３０】
前記スキャン駆動部は前記負のサステイン電圧に発生された負のサステインパルスでグラウンドレベルまたは前記正のサステイン電圧に発生された正のサステインパルスに転移される時パルスが早くグラウンドレベルになるようにする第２グラウンド部をさらに含むことを特徴とする。
【００３１】
前記負の第１電圧と前記正の第１電圧の大きさは等しいことを特徴とする。
【００３２】
前記正の第１電圧と前記負の第２電圧の大きさは等しいことを特徴とする。
【発明の効果】
【００３３】
このような本発明はプラズマディスプレイパネルを駆動するための駆動装置が簡単になって製造費用を減らすことができ、また、プラズマディスプレイパネル駆動の時発生されるノイズを減少させることができる效果がある。 
【発明を実施するための最良の形態】
【００３４】
以下、本発明の実施例を添付した図面を参照して詳細に説明する。
【００３５】
図４は、本発明によるプラズマディスプレイ装置を示す図である。図４を参照すれば、本発明によるプラズマ表示装置は、プラズマディスプレイパネル１００と、プラズマディスプレイパネル１００の下部基板(未図示)に形成されたアドレス電極(Ｘ１乃至Ｘｍ)にデータを供給するためのデータ駆動部１２２と、スキャン電極(Ｙ１乃至Ｙｎ)を駆動するためのスキャン駆動部１２３と、プラズマディスプレイパネル駆動の時データ駆動部１２２、スキャン駆動部１２３を制御するためのタイミングコントロール部１２１と、それぞれの駆動部(１２２、１２３)に必要な駆動電圧を供給するための駆動電圧発生部１２４とを含む。すなわち、本発明によるプラズマディスプレイ装置は、サステイン電極(Ｚ)を駆動するためのサステイン駆動部を含まないで、サステイン電極(Ｚ)はただグラウンド(ＧＮＤ)を維持するように形成される。 
【００３６】
プラズマディスプレイパネル１００は、上部基板(未図示)と下部基板(未図示)が所定の間隔を置いて合着される。上部基板には、多数の電極、例えば、スキャン電極(Ｙ１乃至Ｙｎ)及びサステイン電極(Ｚ)が対を成して形成される。下部基板には、スキャン電極(Ｙ１乃至Ｙｎ)及びサステイン電極(Ｚ)と交差されるようにアドレス電極(Ｘ１乃至Ｘｍ)が形成される。
【００３７】
データ駆動部１２２には、図示しない逆ガンマ補正回路、誤差拡散回路等によって逆ガンマ補正及び誤差拡散になった後、サブフィールドマッピング回路によって各サブフィールドにマッピングされたデータが供給される。このようなデータ駆動部１２２は、タイミングコントロール部１２１からのタイミング制御信号(ＣＴＲＸ)に応答してデータをサンプリングしてラッチした後、そのデータをアドレス電極(Ｘ１乃至Ｘｍ)に供給する。
【００３８】
スキャン駆動部１２３は、タイミングコントロール部１２１の制御の下に、リセット期間の間、上昇ランプ波形(Ｒａｍｐ−ｕｐ)と下降ランプ波形(Ｒａｍｐ−ｄｏｗｎ)をスキャン電極(Ｙ１乃至Ｙｎ)に供給する。また、スキャン駆動部１２３は、タイミングコントロール部１２１の制御の下に、アドレス期間の間、負のスキャン電圧(−Ｖｓ)のスキャンパルス(Ｓｐ)をスキャン電極(Ｙ１乃至Ｙｎ)に順次に供給する。スキャン駆動部１２３は、サステイン期間の間には、負のスキャン電圧(−Ｖｓ)と等しい電圧の大きさを持つ正のサステイン電圧(Ｖｓ)及び負のサステイン電圧(−Ｖｓ)のサステインパルスをスキャン電極(Ｙ１乃至Ｙｎ)に供給する。 
【００３９】
タイミングコントロール部１２１は、垂直/水平同期信号とクロック信号との入力を受けて、リセット期間、アドレス期間、サステイン期間に、各駆動部(１２２、１２３)の動作タイミングと同期化とを制御するためのタイミング制御信号(ＣＴＲＸ、 ＣＴＲＹ)を発生して、そのタイミング制御信号(ＣＴＲＸ、 ＣＴＲＹ)を該当の駆動部(１２２、１２３)に供給することで各駆動部(１２２、１２３)を制御する。
【００４０】
一方、データ制御信号(ＣＴＲＸ)には、データをサンプリングするためのサンプリングクロック信号、ラッチ制御信号、エネルギー回収回路と駆動スィッチ素子のオン／オフタイムを制御するためのスィッチ制御信号が含まれる。スキャン制御信号(ＣＴＲＹ)には、スキャン駆動部１２３内のエネルギー回収回路と駆動スィッチ素子のオン／オフタイムを制御するためのスィッチ制御信号が含まれる。 
【００４１】
駆動電圧発生部１２４は、セットアップ電圧(Ｖｓｅｔｕｐ)、スキャン共通電圧(Ｖｓｃａｎ−ｃｏｍ)、スキャン電圧(−Ｖｓ)、サステイン電圧(Ｖｓ、−Ｖｓ)、データ電圧(Ｖｄ)などを発生する。このような駆動電圧は、放電ガスの組成や放電セル構造によって変わることができる。 
【００４２】
このような本発明のプラズマディスプレイ装置は、リセット期間、アドレス期間及びサステイン期間にアドレス電極、スキャン電極及びサステイン電極に駆動パルスが印加される少なくとも一つ以上のサブフィールドの組合によって、フレームからなる画像が具現される。 
【００４３】
一方、本発明によるプラズマディスプレイ装置がアドレス期間及びサステイン期間で動作される原理をよく見れば図５ないし図７のようである。 
【００４４】
図５は、アドレス期間における本発明によるプラズマディスプレイ装置の駆動方法を説明するための回路図である。図５を参照すれば、本発明によるプラズマディスプレイパネルに形成されたサステイン電極は、全てグラウンドと繋がれる。 
【００４５】
先ず、アドレス期間において、第１電圧印加部２１０、駆動ドライバー２２０−１ 及び第１グラウンド部２３０のターンオンによって、負のサステイン電圧源(−Ｖｓ)、駆動ドライバー２２０−１、第１グラウンド部２３０及びグラウンドがループ(ｌｏｏｐ)を形成する。これに従って、負のサステイン電圧源(−Ｖｓ)が駆動ドライバー２２０−１に繋がれたスキャン電極(Ｙ１)に印加されて、アドレス放電が発生してスキャンをするようになる。 
【００４６】
図６は、サステイン期間に本発明によるプラズマディスプレイ装置の駆動方法の時第１動作を説明するための回路図である。 
【００４７】
サステイン期間では、第２電圧印加部２４０及びすべての駆動ドライバー(２２０-１乃至２２０-n)の第１スィッチ(Ｓ１)がターンーオンして、すべての駆動ドライバー(２２０-１乃至２２０-n)の第２スィッチ(Ｓ２)及び第１グラウンド部２３０がターンオフする。
【００４８】
これによって、正のサステイン電圧源(+Ｖｓ)、第２電圧印加部２４０、すべての駆動ドライバー(２２０-１乃至２２０-n)の第１スィッチ(Ｓ１)、各駆動ドライバーと繋がれた各スキャン電極(Ｙ１、 Ｙ２、 ……Ｙｎ)、キャパシター(C１、C２、……Cn )、Ｚ電極及びグラウンドがループを形成する。
【００４９】
したがって、すべてのスキャン電極には正のサステイン電圧(+Ｖｓ)が印加される。すなわち、スキャン電極にサステインパルスが印加される。
【００５０】
図７は、サステイン期間において本発明によるプラズマディスプレイ装置の駆動方法の時第２動作を説明するための回路図である。 
【００５１】
先ず、図７では、サステイン期間に第１動作によってスキャン電極にサステインパルスを印加後、第１電圧印加部２１０及びすべての駆動ドライバー(２２０-１乃至２２０-n)の第２スィッチ(Ｓ２)がターンオンして、すべての駆動ドライバー(２２０-１乃至２２０-n)の第１スィッチ(Ｓ１) 及び第１グラウンド部２３０がターンオフする。  
【００５２】
これによって、負のサステイン電圧源(−Ｖｓ)、第１電圧印加部２１０、すべての駆動ドライバー(２２０-１乃至２２０-n)の第２スィッチ(Ｓ２)、各駆動ドライバーと繋がれた各スキャン電極(Ｙ１、Ｙ２、……Ｙｎ)、各キャパシター(C１、C２、……Cn )、 Ｚ電極及びグラウンドがループを形成する。 
【００５３】
したがって、すべてのスキャン電極(Ｙ１、Ｙ２、……Ｙｎ)には、負のサステイン電圧(−Ｖｓ)が印加される。すなわち、スキャン電極にサステインパルスが印加される。この時、スキャン電極(Ｙ１、Ｙ２、……Ｙｎ)に負のサステイン電圧(−Ｖｓ)が印加されたことは、実質的にサステイン電極に正のサステイン電圧が印加されるのと等しい。
【００５４】
このように、本発明によるプラズマディスプレイ装置は、サステイン電圧(−Ｖｓ)を利用して、スキャン電源とサステイン電源を一緒に使うから電源数を減らす效果を持つ。 
【００５５】
一方、図５乃至図７で、キャパシター(C１、C２、……Cn)は、Ｙ電極とＺ電極の間に存在する等価キャパシターである。  
【００５６】
図８ａと図８ｂは、サステイン期間における本発明によるプラズマディスプレイ装置の動作による波形図である。 図８ａに示されたのは、ｇｎｄを基準としたスキャン電極の電圧の波形図で、図８ｂは、図８ａに示された波形図をスキャン電極サステイン電極それぞれで表した波形図である。即ち、図８ｂは、サステイン電極を基準としたスキャン電極の電圧、スキャン電極を基準としたサステイン電極の電圧である。
【００５７】
図８ｂに示されたのように、本発明のプラズマディスプレイ装置によって、スキャン電極とサステイン電極にサステインパルスが交番されるように印加されることが分かる。これによってサステイン放電が起きることができることが分かる。 
【００５８】
このような本発明によるプラズマディスプレイ装置は、従来の駆動装置で右側に位置するサステイン電極駆動部２００を使わないで、ただサステイン電極パッド(ｐａｄ)だけグラウンドと繋がれる。すなわち、本発明によるプラズマディスプレイ装置は、一つのＰＣＢ上に電極駆動部が形成されても導線が必要ないから電圧低下を阻むことができるし導電性物質による輝度層が生ずることを阻むことができる 
【００５９】
また、全体電極駆動部の構成が簡単になるだけでなく回路全体の電圧レベルが安定化されてノイズや電磁波干渉の影響を減らすことができるし帯電流によって発生する問題が解決される。
【００６０】
一方、本発明において、他のプラズマディスプレイ装置は、スキャンからサステインの駆動マージンがない場合、電源をつけるわけ供給して別に駆動可能なのに、これに対して図９を参照して説明する事にする。 
【００６１】
図９は、アドレス期間及びサステイン期間における本発明によるプラズマディスプレイ装置の他の駆動方法を説明するための回路図である。図９を参照すれば、本発明によるプラズマディスプレイ装置は、第３電圧印加部２５０、別途のスキャン電源(−Ｖｓｙ)と、第２グラウンド部２６０とをさらに含む。すなわち、第３電源印加部２５０は、スキャン過程でターンーオンされて、選択されたスキャン電極にスキャン電源(−Ｖｓｙ)を印加する。この時、第１電圧印加部２１０はターンオフされる。 
【００６２】
また、追加する第２グラウンド部２６０は、負のサステインパルスでグラウンドレベル或いは正のパルスに転移される時、パルスが早くグラウンドレベルになるようにするためである。  
【図面の簡単な説明】
【００６３】
【図１】従来マトリックス形態に配列された放電セル構造を持つ３電極交流面放電型ＰＤＰの構造を示す斜視図。
【図２】従来ＰＤＰの駆動方法を説明するための駆動波形を示す図。
【図３】従来プラズマディスプレイパネルのアドレス期間とサステイン期間で動作されるスキャン電極(Ｙ)駆動部とサステイン電極(Ｙ)駆動部の回路図。
【図４】図４は本発明によるプラズマディスプレイ装置を示す図。
【図５】図５はアドレス期間に本発明によるプラズマディスプレイ装置の駆動方法を説明するための回路図。
【図６】サステイン期間に本発明によるプラズマディスプレイ装置の駆動方法の第１動作を説明するための回路図。
【図７】サステイン期間に本発明によるプラズマディスプレイ装置の駆動方法の第２動作を説明するための回路図。
【図８】図８ａと図８ｂはサステイン期間に本発明によるプラズマディスプレイ装置の動作による波形図であり、
【図９】図９はアドレス期間及びサステイン期間に本発明によるプラズマディスプレイ装置の他の駆動方法を説明するための回路図である。
【図１】
2005331958.tif 000003
【図２】
2005331958.tif 000004
【図３】
2005331958.tif 000005
【図４】
2005331958.tif 000006
【図５】
2005331958.tif 000007
【図６】
2005331958.tif 000008
【図７】
2005331958.tif 000009
【図８】
2005331958.tif 000010
【図９】
2005331958.tif 000011